(57)【特許請求の範囲】
【請求項１】
無線端末と通信可能な無線基地局であって、
前記無線端末より送信される前記無線端末の位置情報、前記無線端末が受信する当該無線基地局からの受信電力、並びに当該無線基地局及び当該無線基地局周辺に設置される無線基地局から選択される少なくとも１つの無線基地局についての干渉度の情報を含む信号を、異なる時間において複数回受信する受信部と、
前記位置情報及び前記受信電力に基づいて、当該無線基地局の位置を推定する位置推定部と、
異なる時間において複数回受信された前記信号の夫々に含まれる前記位置情報及び前記干渉度の情報に基づいて、前記選択された無線基地局についての無線品質を推定する無線品質推定部と、
前記無線品質推定部による前記選択された無線基地局についての無線品質の推定結果を時系列的に比較することで、前記選択された無線基地局についての無線品質の時系列的な変化を検出する無線品質判定部と
を備えることを特徴とする無線基地局。
【請求項２】
前記受信部は、相異なる少なくとも３つの前記無線端末より送信される、前記信号を夫々受信し、
前記位置推定部は、前記相異なる少なくとも３つの無線端末より取得された前記位置情報及び前記受信電力に基づいて、当該無線基地局の位置を推定することを特徴とする請求項１に記載の無線基地局。
【請求項３】
前記位置推定部により推定される当該無線基地局の位置の変化を検出する位置判定部を更に備え、
前記受信部は、前記信号を異なる時間において複数回受信し、
前記位置判定部は、前記信号の夫々に含まれる前記位置情報及び前記受信電力に基づく前記位置推定部による推定結果を時系列的に比較することで、当該無線基地局の位置の変化を検出することを特徴とする請求項１又は２に記載の無線基地局。
【請求項４】
前記無線品質推定部は、当該無線基地局を基準とする所定の範囲を複数のエリアに区切り、前記複数のエリアの各エリア毎に、前記選択された無線基地局についての無線品質を推定することを特徴とする請求項１に記載の無線基地局。
【請求項５】
前記無線端末に対して、契約情報に基づいて、当該無線基地局との通信が可能であるか否かを判断する通信可否判定部を更に備え、
前記無線品質判定部は、前記通信可否判定部によって当該無線基地局との通信が可能であると判断された前記無線端末より送信される前記信号に基づいて推定される前記無線品質に変化が検出される場合、当該無線基地局との通信が可能でないと判断された前記無線端末より送信される前記信号に基づく前記無線品質推定部による推定結果を時系列的に比較することで、変化を検出することを特徴とする請求項１に記載の無線基地局。
【請求項６】
予め設定される所定の設置位置から当該無線基地局の位置が変化している場合、及び予め設定される所定の無線品質から当該無線基地局についての前記無線品質が変化している場合の少なくとも一方において、該変化について、当該無線基地局の管理者に対して通知する通知部を更に備えることを特徴とする請求項１、４又は５に記載の無線基地局。
【請求項７】
前記通知部は、推定された当該無線基地局の位置及び前記無線品質に基づいて、前記変化を補償するために当該無線基地局を移動させる場所を更に通知することを特徴とする請求項６に記載の無線基地局。
【請求項８】
無線端末と通信可能な無線基地局における位置検出方法であって、
前記無線端末より送信される、前記無線端末の位置情報、前記無線端末が受信する当該無線基地局からの受信電力、並びに当該無線基地局及び当該無線基地局周辺に設置される無線基地局から選択される少なくとも１つの無線基地局についての干渉度の情報を含む信号を、異なる時間において複数回受信する受信工程と、
前記位置情報及び前記受信電力に基づいて、当該無線基地局の位置を推定する位置推定工程と、
異なる時間において複数回受信された前記信号の夫々に含まれる前記位置情報及び前記干渉度の情報に基づいて、前記選択された無線基地局についての無線品質を推定する無線品質推定工程と、
前記無線品質推定工程における前記選択された無線基地局についての無線品質の推定結果を時系列的に比較することで、前記選択された無線基地局についての無線品質の時系列的な変化を検出する無線品質判定工程と
を備えることを特徴とする位置検出方法。
【発明の詳細な説明】
【技術分野】
【０００１】
本発明は、比較的送信電波の弱い小型の無線基地局の運用に関し、無線基地局の位置検出の技術分野に関する。
【背景技術】
【０００２】
この種の小型の無線基地局として、数ｍから数十ｍをサービスエリアとする送信電波が比較的弱いフェムトセル基地局が近年研究されている。フェムトセル基地局は、従来用いられている所謂マクロセル基地局と比較して小型のハードウェアで構成可能であるため、移設、設置が容易であるという特徴を有している。他方で、管理者の意図しない移設についても容易に行われ得る可能性がある。
【０００３】
フェムトセル基地局が移動される場合、他のフェムトセル基地局又は近隣のより広いサービスエリアを有するマクロセルからの送信電波との干渉の悪化等、電波状況に悪影響を及ぼす可能性がある。かかる移動による干渉の悪化などをシステムの管理者側で検知し、且つ補償を行うため、個々のフェムトセル基地局についてその位置又は移設を検出する何らかの機能が求められる。例えば、以下に示す方法が知られている。
【０００４】
例えば、フェムトセル基地局にＧＰＳ装置を設け、所定の周期等でフェムトセル基地局の位置をシステムの管理者に通知することで、現在位置と位置の変化とを管理者側が把握可能となる。また、フェムトセル基地局に対して、接続するネットワークが固有のＩＰアドレスを割り当てることで、ＩＰアドレスから現在位置を管理者側が把握可能となる。
【０００５】
その他の方法として、フェムトセル基地局に周辺の基地局の電波状況を測定可能なアンテナを設け、測定した周辺セルの電波強度とその位置とに基づいて、自身の位置を算出する方法が考えられる。下記の先行技術文献には、このような周辺セルの電波状況を利用した位置測定方法についての説明がある。
【先行技術文献】
【特許文献】
【０００６】
【特許文献１】特開２００９−５２９４８号公報
【特許文献２】特開２００３−１８０７３号公報
【特許文献３】特開２００８−２２５２４号公報
【発明の概要】
【発明が解決しようとする課題】
【０００７】
上述したフェムトセル基地局の位置測定方法には、例えば下記に示すような技術的な問題がある。ＧＰＳ装置を用いた位置測定方法を実現するためには、各フェムトセル基地局にＧＰＳ装置を設ける必要があり、装置構成上のコストが増大する。また、ＧＰＳ装置を備えるフェムトセル基地局がＧＰＳ電波を受信出来ない不感地帯に設置される場合等、ＧＰＳによる位置測定が行えない場合がある。
【０００８】
また、コアネットワークのＩＰアドレスをフェムトセル基地局に割り当てる方法では、Ｌ２ＳＷ(Layer 2 Switch)等を用いた物理線の延長や、ＶＰＮ(Virtual Private Network)等のトンネリング技術を用いた遠隔地への転送等により、フェムトセル基地局の位置を偽装することが出来る。このため、悪意によるフェムトセル基地局の移設を検出出来ない可能性がある。また、本方法では、フェムトセル基地局の位置の変化を測定出来ないという技術的な問題もある。
【０００９】
また、アンテナを介した周辺セルの電波状況に基づく位置測定では、フェムトセル基地局に周辺セルの電波を受信可能なアンテナを設ける必要があり、装置構成上のコストが増大する。また、フェムトセル基地局の設置位置周辺に他の基地局が存在しない場合や、存在しても電波を受信出来ない位置関係にある場合等、位置測定を行えない場合がある。また、計算による位置の推定であるため、位置情報の取得のために十分な数のデータの確保が必要となる。
【００１０】
尚、同様の技術的な問題は、フェムトセル基地局の位置測定に限らず、任意の無線基地局の位置測定においても同様に発生し得る。
【００１１】
本発明は、上述した技術的な問題点に鑑み、無線基地局の設置位置や周辺の基地局の状況等の影響を受けず、位置測定を行うことを実現可能とする位置検出方法並びに無線基地局を提供することを課題とする。
【課題を解決するための手段】
【００１２】
上記課題を解決するために、開示の無線基地局は、無線端末と通信可能な無線基地局であって、受信部と位置推定部とを備える。受信部は、無線端末から送信される、無線端末の位置情報及び無線端末が受信する当該無線基地局からの受信電力を含む信号を受信する。位置推定部は、位置情報及び受信電力に基づいて、当該無線基地局の位置を推定する。
【００１３】
また、開示の位置検出方法は、無線基地局において実施される位置検出方法であって、受信工程と、位置推定工程とを備える。受信工程は、上述した無線基地局が備える受信部と同様の動作を行う。位置推定工程は、上述した無線基地局が備える位置推定部と同様の動作を行う。
【発明の効果】
【００１４】
上述の構成によれば、無線基地局に対して新たな装置を追加する事なく、当該無線基地局の位置の測定及び位置の変化の推定が可能となる。また、無線端末から送信される情報に基づいて位置の推定を行っているため、無線基地局が周辺の基地局からの電波やＧＰＳの不感地帯に在圏する場合であっても、位置の推定が可能となる。
【図面の簡単な説明】
【００１５】
【図１】移動通信システムの全体的な構成を示す図である。
【図２】ｅＮＢのハードウェア構成を示すブロック図である。
【図３】ｅＮＢが備える機能部を示すブロック図である。
【図４】ブロードバンドルータの構成を示すブロック図である。
【図５】移動通信システムを管理する通信キャリア装置のハードウェア構成を示すブロック図である。
【図６】移動通信システムを管理する通信キャリア装置が備える機能部を示すブロック図である。
【図７】ＵＥのハードウェア構成を示すブロック図である。
【図８】ＵＥが備える機能部を示すブロック図である。
【図９】ＵＥからの信号を受信する動作の流れを示すシーケンス図である。
【図１０】データベースに情報を格納する動作の流れを示すシーケンス図である。
【図１１】データベースに格納されるデータの例を示す図である。
【図１２】ｅＮＢ周辺にメッシュ状のエリアを規定した例を示す図である。
【図１３】データベースに格納される干渉度についてのデータの例を示す図である。
【図１４】ｅＮＢ周辺に円状のエリアを規定した例を示す図である。
【図１５】ｅＮＢの位置変化及び干渉の悪化を判定する動作の流れを示すフローチャートである。
【図１６】ＵＥを介して判定結果の通知を行う場合の表示の例を示す図である。
【発明を実施するための形態】
【００１６】
以下に、発明を実施するための実施形態について説明する。
【００１７】
（１）構成例
図１を参照して、開示の移動通信システムの一例である移動通信システム１の構成について説明する。図１は、移動通信システム１の全体の構成を示すブロック図である。移動通信システム１は、例えば、Ｗ−ＣＤＭＡ(Wideband - Code Division Multiple Access)方式又はＬＴＥ（Long Term Evolution）方式の無線通信システム等である。
【００１８】
図１に示されるように、移動通信システム１は、無線基地局（ｅＮＢ：evolved Node B）１００と、ブロードバンドルータ２００と、移動体通信キャリア３００と、ユーザ端末（ＵＥ：User Equipment）４００と、インターネット網５００とを含む。
【００１９】
ｅＮＢ１００は、ブロードバンドルータ２００を介してインターネット網５００に接続されると共に、アンテナを介して送信電波を送信することでセルを形成し、該セル内に在圏するＵＥ４００との間で通信を行う基地局である。
【００２０】
ｅＮＢ１００は、例えばフェムトセル無線基地局と呼ばれる基地局であって、家庭やオフィス、商業施設等比較的狭いエリアでの利用を想定した、４から１６ユーザ程度の同時通信を可能とする小型の基地局装置である。以降、ｅＮＢ１００の実施の形態について、フェムトセル無線基地局を例に挙げて説明する。
【００２１】
尚、ｅＮＢ１００はフェムトセル無線基地局以外にも、より広いセルを形成可能なマクロセル又はマイクロセル無線基地局等であってもよく、またより狭いセルを形成するものであってもよい。
【００２２】
図２は、ｅＮＢ１００のハードウェア構成の一例を示すブロック図である。
【００２３】
図２に示されるように、ｅＮＢ１００は、ＲＦ１０１、ＳｏＣ(System-on-a-chip)チップ１０２、該Ｓｏｃチップ１０２上に形成されるＤＳＰ（Digital signal Processor）１０３及びＣＰＵ１０４、メモリ１０５並びにネットワークインタフェースカード（ＮＩＣ：Network Interface Card）１０６を備える。ＲＦ１０１は、アンテナを介して送信電波を送信し、セル（例えば、フェムトセル）を形成し、一方でセル内に在圏するＵＥ４００からの送信電波を受信することで、ＵＥ４００と通信を行う回路である。ＳｏＣチップ１０２は、例えばＤＳＰ１０３やＣＰＵ１０４等を含む回路が形成される半導体チップである。ＤＳＰ１０３は、ネットワークを介して受信される情報をＲＦ１０１から出力するための態様に変換する処理や、ＲＦ１０１において受信される情報をネットワークに送信するための態様に変換する処理を行う。ＣＰＵ１０４は、ｅＮＢ１００の各部の動作を制御すると共に、例えばメモリ１０５内に格納されるプログラムを実行することで、後述する各種動作を行う。ＮＩＣ１０６は、ＬＡＮを介してブロードバンドルータ２００と接続し、通信を行うためのインタフェース機能を有するカード等である。
【００２４】
図３は、ｅＮＢ１００が備える機能について、便宜上の機能部としてブロック図に示したものである。図３に示されるようにｅＮＢ１００は、ＬＡＮインタフェース（ｅＮＢ）１１１、無線制御部（ｅＮＢ）１１２、無線送受信部（ｅＮＢ）１１３、ＣＳＧ制御部１１４、ＭＲ信号受信部１１５、ＭＲデータベース１１６、位置推定部１１７、無線品質推定部１１８及び結果判定通知部１１９を備える。これらの機能部により、ｅＮＢ１００は、ＵＥ４００との間で送受信する無線制御信号であるＲＲＣプロトコルの情報を本来の呼処理機能とは別に取得、分析可能となる。以下に、各機能部についてより詳細に説明する。
【００２５】
ＬＡＮインタフェース（ｅＮＢ）１１１は、例えば、ＮＩＣ１０６に対応する機能部であって、ブロードバンドルータ２００との間で情報の通信を行うためのインタフェースであり、ＬＡＮ（Local Area Network）経由で接続される。このため、ＬＡＮインタフェース（ｅＮＢ）１１１は、固有のＩＰアドレスを有する。
【００２６】
無線制御部（ｅＮＢ）１１２は、ＤＳＰ１０３及びＣＰＵ１０４の動作により実施される機能を示す機能部であって、ＵＥ４００とｅＮＢ１００との間の無線通信を制御する。無線制御部（ｅＮＢ）１１２は、３ＧＰＰ等の通信制御規則に基づき、通信コネクション（言い換えれば、セッション）、又は通信チャネル（言い換えれば、トランスポートチャネル）等をＲＲＣプロトコル等を用いて制御する。
【００２７】
無線送受信部（ｅＮＢ）１１３は、例えば、ＲＦ１０１に対応する機能部であって、ｅＮＢ１００のアンテナを介してＵＥ４００とｅＮＢ１００との間の無線通信を行う。無線送受信部（ｅＮＢ）１１３は、例えば、３ＧＰＰ等の通信制御規則に基づいた物理チャネルで無線信号を送受信する。
【００２８】
ＣＳＧ制御部１１４、ＭＲ信号受信部１１５、ＭＲデータベース１１６、位置推定部１１７、無線品質推定部１１８及び結果判定通知部１１９の各機能部は、ＣＰＵ１０４及びメモリ１０５により実現される機能を示す機能部である。ＣＰＵ１０４は、例えば、メモリ１０５内に格納されるプログラムを実施することで、以下に示す各種機能部に対応する動作を行う。
【００２９】
ＣＳＧ制御部１１４は、移動体通信キャリア３００の加入者データベース３１３に格納されるＣＳＧ（Closed Subscriber Group）データベースに基づいて、ユーザ毎（言い換えれば、ＵＥ４００毎）のアクセスコントロールを行う。具体的には、各ｅＮＢ１００について、該ｅＮＢ１００に登録されているＵＥ４００を該ｅＮＢ１００と通信可能とし、その他のＵＥ４００については通信セッションの切断を行う。尚、ＣＳＧ制御部１１４は、ｅＮＢ１００に登録されていないＵＥ４００からのＧＰＳ位置測定要求に対するＲＲＣ  Ｍｅａｓｕｒｅｍｅｎｔ  Ｒｅｐｏｒｔ信号（以降、ＭＲ信号と表記）については、受信するようアクセスを制御する。
【００３０】
ＭＲ信号受信部１１５は、無線制御部（ｅＮＢ）１１２が行う通信内容のうち、ＵＥ４００から送信されるＭＲに係る値を取得する。ＭＲ信号取得部１１５は、取得した値をＭＲデータベース１１６に送信する。
【００３１】
ＭＲデータベース１１６は、ＭＲ信号受信部１１５から送信されたＭＲを格納するデータベースである。
【００３２】
位置推定部１１７は、ＭＲデータベース１１６に格納されるＭＲを参照し、該ＭＲに含まれる送信元のＵＥ４００のＧＰＳ位置情報及びＲＳＣＰ(Received Signal Code Power)値等の受信強度（言い換えれば、受信電力）に基づいて、ｅＮＢ１００の位置の推定（言い換えれば、算出）を定期的に行う。
【００３３】
無線品質推定部１１８は、ＭＲデータベース１１６に格納されるＭＲを参照し、該ＭＲに含まれる送信元のＵＥ４００のＧＰＳ位置情報及びｅＮＢ１００の周辺セルの電波状況に基づいてｅＮＢ１００の無線品質、及び周辺セルの無線品質の推定（言い換えれば、算出）を定期的に行う。
【００３４】
結果判定通知部１１９は、位置推定部１１７又は無線品質推定部１１８において推定される位置又は無線品質を適宜観察する。結果判定通知部１１９は、観察するｅＮＢ１００の位置又は無線品質に変化があった場合、ｅＮＢ１００の移動の有無、ｅＮＢ１００の無線品質の変化の有無、及び周辺セルの無線品質の変化の有無の判定を行う。また、判定の結果を予め設定されたルールに基づいて、移動体通信キャリア３００のＯＡＭ部３１４（図６参照）に通知する。このとき、結果判定通知部１１９は、ＴＲ−０６９やＳＮＭＰ等の保守プロトコルを用いて通知してもよい。また、結果判定通知部１１９は、ＯＡＭ部３１４の代わりに、ＵＥ４００に対して通知してもよい。
【００３５】
ブロードバンドルータ２００は、ｅＮＢ１００とインターネット網５００とを接続する装置である。図４は、ブロードバンドルータ２００のハードウェア構成の一例を示すブロック図である。図４に示されるように、ブロードバンドルータ２００は、インターネット網５００に接続する為のゲートウェイ２０１と、ｅＮＢ１００が設置される個人宅、店舗、オフィス等のＬＡＮに接続するＬＡＮインタフェース（ルータ）２０２とを備える。
【００３６】
ゲートウェイ２０１は、インターネット網５００と接続するゲートウェイである。ゲートウェイ２０１は、ｅＮＢ１００からのインターネット網５００への接続要求をインターネット網５００に転送する一方で、インターネット網５００からのｅＮＢ１００への接続要求をｅＮＢ１００に転送する。
【００３７】
ＬＡＮインタフェース（ルータ）２０２は、ＬＡＮを介してＬＡＮインタフェース（ｅＮＢ）１１１と接続し、情報の通信を行う。
【００３８】
移動体通信キャリア３００は、ユーザに対してＵＥ４００を用いた通信サービスを提供するための移動通信システム１をする管理する事業者又は管理用の装置である。図５は、移動通信システム１の管理用の装置である移動体通信キャリア３００のハードウェア構成について一例を示す図である。図５に示されるように、移動体通信キャリア３００は、ＬＳＩ（Large Scale Integration）３０１と、ＣＰＵ３０２と、メモリ３０３とを備える。ＬＳＩ３０１は、インターネット網５００を介してブロードバンドルータ２００と接続し、情報の通信を行う回路等である。ＣＰＵ３０２は、移動体通信キャリア３００の各部の動作を制御すると共に、例えばメモリ３０３内に格納されるプログラムを実行することで、下記に示す各機能を実現する。メモリ３０３は、移動体通信キャリア３００の動作に係るデータ等を格納する記憶装置である。
【００３９】
図６は、移動体通信キャリア３００が備える機能について、便宜上の機能部としてブロック図に示したものである。図６に示されるように移動体通信キャリア３００は、コアネットワーク部３１１、ｅＮＢ終端部３１２、加入者データベース３１３、ＯＡＭ(Operation And Management)部３１４及び端末情報データベース３１５を備える。
【００４０】
コアネットワーク部３１１は、加入者データベース３１３とのゲートウェイの役割を果たすと共に、加入者データベース３１３に登録されるユーザについてシステム使用料の課金処理等、通信状況管理に必要な機能を有する。
【００４１】
ｅＮＢ終端部３１２は、インターネット網５００を介したｅＮＢ１００との通信において、送受信されるデータの処理を行う。
【００４２】
加入者データベース３１３は、メモリ３０３内部に格納される、移動通信システム１を利用可能なＣＳＧ、言い換えれば、移動通信システム１に接続可能な家庭用のｅＮＢ１００等を利用可能なユーザ、ＵＥ４００又はｅＮＢ１００についての情報を格納するデータベースである。加入者データベース３１３は、例えば、ユーザ又はＵＥ４００毎にどのｅＮＢ１００を介して移動通信システム１と通信可能であるかを示す情報をＣＳＧデータベースとして格納する。
【００４３】
ＯＡＭ部３１４は、移動通信システム１に含まれるｅＮＢ１００の障害発生の監視や、ファームウェアの更新等の管理を行う。また、ＯＡＭ部３１４は、ｅＮＢ１００の結果判定通知部１１９から該ｅＮＢ１００についての移設の通知が送信される場合、該通知を受信する。
【００４４】
端末情報データベース３１５は、移動通信システム１において用いられるＵＥ４００について、夫々の端末の種別毎の送信電波受信用のアンテナの利得を格納する。
【００４５】
ＵＥ４００は、ｅＮＢ１００が形成するセルに在圏しｅＮＢ１００と接続することで、インターネット網５００を介した通信を行う。図７及び図８を参照して、ＵＥ４００の基本的な構成及び機能について説明する。
【００４６】
図７は、ＵＥ４００のハードウェア構成の一例を示すブロック図である。図７に示されるように、ＵＥ４００は、アンテナ４０１、アンプ４０２、ＣＰＵ４０３、メモリ４０４、表示画面４０６及び入力機器４０７を備える。
【００４７】
アンテナ４０１は、ｅＮＢ１００からの送信電波を受信すると共に、ｅＮＢ１００に対して送信電波を送信することで通信を行うアンテナである。アンプ４０２は、アンテナ４０１において送受信される信号の増幅を行う。ＣＰＵ４０３は、ＵＥ４００の各部の動作を制御すると共に、例えばメモリ４０４内に格納されるプログラムを実行することで、後述する各種動作をＵＥ４００の各部に実施させる。メモリ４０４は、ＣＰＵ４０３を動作させるためのプログラムや、アンテナ４０１を介して受信したデータや、その他のユーザデータ等を格納するメモリである。表示画面４０５は、ＣＰＵ４０３の制御の下、所定の情報をユーザに対して閲覧させる目的で表示する。入力機器４０６は、ユーザからの指示や音声データ等をＣＰＵ４０３に入力するためのインタフェースである。また、入力機器４０６は、外部からのＧＰＳ信号を受信して、位置測定データの入力を受けるためのインタフェースをも備える。
【００４８】
図８は、ＵＥ４００が有する機能を便宜上の機能部としてブロック図に示したものである。図８に示されるようにＵＥ４００は、無線送受信部（ＵＥ）４１１、無線制御部（ＵＥ）４１２、アプリケーション実行部４１３、表示部４１４、ＧＰＳ機能部４１５及び入力部４１６を備える。
【００４９】
無線送受信部（ＵＥ）４１１は、ＵＥ４００とｅＮＢ１００との間の無線通信を行う機能部であり、アンテナ４０１を介して、３ＧＰＰ等の通信制御規則に基づいた物理チャネルで無線信号を送受信する。
【００５０】
無線制御部（ＵＥ）４１２は、ＵＥ４００とｅＮＢ１００との間の無線通信を制御する機能部である。無線制御部（ＵＥ）４１２は、３ＧＰＰ等の通信制御規則に基づき、通信コネクション（言い換えれば、セッション）、又は通信チャネル（言い換えれば、トランスポートチャネル）等をＲＲＣプロトコル等を用いて制御する。
【００５１】
アプリケーション実行部４１３は、メモリ４０４内に格納されるアプリケーションを実行する機能部である。アプリケーション実行部４１３は、例えば、ＧＰＳ位置情報を利用したＷｅｂ、地図ソフト等を実行し、実行結果を表示画面４０６に表示する。
【００５２】
表示部４１４は、アプリケーション実行部４１３の実行結果等を表示画面４０６に表示する機能部である。また、表示部４１４は、ｅＮＢ１００や移動体通信キャリア３００からの通知メッセージについても、表示画面４０６に表示する。
【００５３】
ＧＰＳ機能部４１５は、ユーザの指示、アプリケーション実行部４１３において実行されたアプリケーションからの要求、又はｅＮＢ１００からの要求等に応じて、入力機器４１６を介して、ＵＥ４００のＧＰＳを利用した位置測定を行う。
【００５４】
入力部４１６は、入力機器４０７を介して入力されたユーザの指示やＧＰＳを利用した位置測定結果等の入力を受ける機能部である。
【００５５】
インターネット網５００は、例えば一般的なウェブ等に接続可能な広域インターネット網である。
【００５６】
（２）動作例
以下に、移動通信システム１の各部の動作について詳細に説明する。移動通信システム１のｅＮＢ１００は、以下に示す動作により、自身の位置の推定を行い移動体通信キャリア３００に通知する。尚、以降の説明では、便宜上、位置測定を行うｅＮＢ１００とは別に、ｅＮＢ１００の周辺に設置されるｅＮＢ１００（例えば、他のフェムトセル基地局やマクロセル基地局等）が形成するセルについて、周辺セル６００という表記を用いて説明する。尚、周辺セル６００が複数存在する場合であっても、夫々を区別しないで説明する場合には周辺セル６００との表記を用いる。
【００５７】
（２−１）  ＵＥ４００からのＭＲ信号受信処理
先ず。ｅＮＢ１００の位置の推定動作における、ｅＮＢ１００が通信中のＵＥ４００からのＭＲ信号を受信する動作の流れについて説明する。図９は、一連の動作の流れを示すシーケンス図である。
【００５８】
ｅＮＢ１００と通信中のＵＥ４００は、例えば、所定の周期でｅＮＢ１００に対して、ｅＮＢ１００及び周辺セル６００からの受信電波の無線品質等の測定結果を信号化したＭＲ（Measurement Research）信号を送信する。
【００５９】
ＭＲ信号は、例えば、ＵＥ４００が電波を受信したセルについてのセル情報として、各セルの識別用のＩＤ、並びに該セルからの受信電波の無線品質（例えば、干渉度及び受信強度）等を含む。ここに、干渉度とは、例えばＥｃ／Ｎｏ値であって、ＵＥ４００が受信する全受信電力に対する該当セルからの受信電力の比等により表される。受信強度は、該当セルからの受信電力等である。ＵＥ４００の無線制御部（ＵＥ）４１２は、無線送受信部（ＵＥ）４１１において受信されるｅＮＢ１００の無線状況に基づいて、干渉度及び受信強度等の情報を測定又は取得する。無線制御部（ＵＥ）４１２は、取得した情報からＭＲ信号を生成してｅＮＢ１００に送信する
また、上述したセル情報とは別に、ＵＥ４００がアプリケーションの実行などにより、ＧＰＳ機能部４１５を用いた自身の位置の位置測定を行った場合、ＵＥ４００は、ＭＲ信号に、該位置の位置測定に係るＧＰＳデータを含めて送信する。ＧＰＳ情報は、ＵＥ４００の３次元的な位置を特定する情報として、例えば緯度、経度及び高度等のデータを含む。
【００６０】
ＵＥ４００の無線制御部（ＵＥ）４１２は、アプリケーション実行部４１３又は入力部４１６等からＵＥ４００の位置情報の位置測定を要求される場合、ＧＰＳ機能部４１５に対してＧＰＳを利用した位置情報の位置測定を指示する。
【００６１】
続いて、ＵＥ４００からのＭＲ信号を受信したｅＮＢ１００の動作について、図１０のシーケンス図を参照して説明する。ｅＮＢ１００の無線制御部（ｅＮＢ）１１２は、送信元のＵＥ４００が自身のｅＮＢ１００との通信が可能なユーザであるか否かをＣＳＧ制御部１１４に問い合わせる。ＣＳＧ制御部１１４は、例えば、ｅＮＢ１００に対して設定される識別用のＩＤ（例えば、ＣＳＧＩＤ）と、問い合わせの対象となるＵＥ４００の識別ＩＤであるＩＭＳＩ(International Mobile Subscriber Identity)を含む問い合わせメッセージを移動体通信キャリア３００に送信する。問い合わせメッセージを受信した移動体通信キャリア３００の加入者データベース３１３は、該メッセージに対して、通信が可能であるか否かを通知する応答メッセージを返信する。
【００６２】
ＵＥ４００がｅＮＢ１００との通信可能な端末でない場合、ＭＲ信号の受信後に、ＣＳＧ制御部１１４は通信セッションを切断して、以降の通信を不可とする。ＵＥ４００がｅＮＢ１００との通信可能な端末である場合、ｅＮＢ１００のＭＲ信号受信部１１５は、無線制御部（ｅＮＢ）１１２とＵＥ４００との間で送受信される信号内容を常時監視する。ＭＲ信号受信部１１５は、無線制御部（ｅＮＢ）１１２がＭＲ信号を受信した場合、該ＭＲ信号に含まれる情報をＭＲデータベース１１６に格納する。このとき、ＭＲ信号受信部１１５は、該ＭＲ信号の受信時刻、受信時刻、ＵＥ４００のＩＭＳＩ値、例えばＩＭＥＩ(International Mobile Equipment Identity）値等の端末機種情報、受信時点でのｅＮＢ１００の送信電力値、使用している周波数帯についても無線制御部（ｅＮＢ）１１２から取得し、ＭＲデータベース１１６に格納する。また、ＭＲ信号受信部１１５は、取得した端末機種情報について、移動体通信キャリア３００の端末情報データベース３１５に問い合わせることで、ＵＥ４００についての受信アンテナ利得を取得し、ＭＲデータベース１１６に格納する。
【００６３】
ＭＲデータベース１１６には、受信したＭＲ信号より取得されたＭＲ信号情報が図１１に示されるような態様で格納される。図１１に示されるようにＭＲデータベース１１６は、受信したＭＲ信号毎に例えばレコード番号等の識別用の番号を付して格納する。格納されるデータは、大分類として、基本情報、例えば、ｅＮＢ１００のセル及び周辺セル６００等、ＭＲ信号により報告されるセル毎の情報、及びＧＰＳ情報に分類される。基本情報は、ＭＲ信号の受信時刻を含む時刻情報、送信元のＵＥ４００のＩＭＳＩ、ＩＭＥＩ及びｅＮＢ１００との通信が可能か否かを示すＣＳＧ属性を含む端末情報、並びにｅＮＢ１００の送信電力、送受信周波数、ＵＥ４００の受信アンテナ利得を含む無線情報を含む。セル毎の情報は、各セルのセル識別ＩＤを含むセル情報と、Ｅｃ／Ｎｏ値等の干渉度及びＲＳＣＰ等の受信電力を含む無線品質とを含む。ＧＰＳ情報は、ＭＲ信号の送信元のＵＥ４００の３次元的な位置を特定する、緯度、経度及び高度等の位置情報を含む。
【００６４】
（２−２）  ｅＮＢ１００位置の推定動作
ＭＲデータベース１１６に格納される情報に基づく、ｅＮＢ１００の位置の推定動作について説明する。ｅＮＢ１００の位置推定部１１７は、例えば、周期的、又は何らかのトリガに基づいて、ＭＲデータベースに１１６に格納されるＭＲ信号情報に基づいて、ｅＮＢ１００の位置の推定を行う。ここに、トリガとは、例えば、所定の数のＭＲ信号情報がＭＲデータベース１１６に格納されたこと、又は移動体通信キャリア３００側からの要求をされたこと等であってよい。
【００６５】
推定時に、位置推定部１１７は、ＭＲデータベース１１６から、前回の推定処理以降に格納されたＭＲ信号情報を３つ以上読み出す。位置推定部１１７は、読み出したＭＲ信号情報に含まれるＧＰＳ情報とＲＳＣＰ値等の無線品質とに基づいて、計算によりｅＮＢ１００の位置を推定する。
【００６６】
以下に、計算によるｅＮＢ１００の位置の推定動作の例を示す。先ず、位置推定部１１７は、ｅＮＢ１００とＵＥ４００との間の距離を算出する。具体的には、位置推定部１１７は、読み出したＭＲ信号情報から、送信元のＵＥ４００における受信した無線品質のＲＳＣＰ値等の電波強度Ａ（ｄＢｍ）と、受信アンテナ利得Ｃ（ｄＢ）とを取得する。また、セル識別ＩＤに基づいて、ｅＮＢ１００についての送信電力Ｂ（ｄＢｍ）、送受信周波数ｆ（ＧＨｚ）及び、ｅＮＢ１００の送信アンテナ利得Ｄ（ｄＢ）を取得する。
【００６７】
ここで、ｅＮＢ１００とＵＥ４００との距離をｄ（ｍ）とすると、ｅＮＢ１００とＵＥ４００との間の自由区間伝搬損失Γ（ｄＢ）＝３２．４＋２０Ｌｏｇｆ（ＧＨｚ）＋２０Ｌｏｇｄ（ｍ）とのように近似出来る。
【００６８】
算出された自由区間伝搬損失Γ（ｄＢ）を用いると、「送信電力値Ｂ（ｄＢｍ）＋送信アンテナ利得Ｄ（ｄＢ）＋受信アンテナ利得Ｃ（ｄＢ）−自由空間伝搬損失Γ（ｄＢ）＝受信電波強度（ＲＳＣＰ値）Ａ（ｄＢｍ）」という関係から、距離ｄ（ｍ）が算出出来る。
【００６９】
読み出した３つのＭＲ信号情報について、ＭＲ信号の送信元のＵＥ４００を夫々ＵＥ＃１、ＵＥ＃２、ＵＥ＃３とする。各ＵＥ４００のＧＰＳ座標位置を緯度経度高度順に夫々（ａ１，ｂ１，ｃ１）、（ａ２，ｂ２，ｃ２）、（ａ３，ｂ３，ｃ３）とする。また、各ＵＥ４００について、上述したように算出したｅＮＢ１００との間の距離を夫々ｄ１，ｄ２，ｄ３とする。これらの値より、三平方の定理より、ｅＮＢ１００の緯度経度高度（ｘ，ｙ，ｚ）を算出可能となる。具体的には、ＵＥ＃１について、（ａ１，ｂ１，ｃ１）と、ｄ１と、（ｘ，ｙ，ｚ）との間には、三平方の定理から、ｄ１＾２＝（ｘ−ａ１）＾２＋（ｙ−ｂ１）＾２＋（ｚ−ｃ１）＾２の関係が成り立つ。同様にＵＥ＃２については、ｄ２＾２＝（ｘ−ａ２）＾２＋（ｙ−ｂ２）＾２＋（ｚ−ｃ２）＾２、ＵＥ＃３については、ｄ３＾２＝（ｘ−ａ３）＾２＋（ｙ−ｂ３）＾２＋（ｚ−ｃ３）＾２の関係が成り立つ。これらの連立方程式を解くことにより、ｅＮＢ１００の三次元的な位置を示す緯度経度高度（ｘ，ｙ，ｚ）を算出出来る。
【００７０】
位置推定部１１７は、算出したｅＮＢ１００の位置を示す緯度経度高度と、算出した時刻とをメモリ１０５内に記録する。また、位置推定部１１７は、算出に用いたＵＥ４００とｅＮＢ１００との間の距離をＭＲデータベース１１６へ格納する。図１１に示したデータ格納の態様を例とすると、ＭＲデータベース１１６は、端末情報の分類内に距離というデータフィールドを追加して、ｅＮＢ１００とＵＥ４００との間の距離を格納する。
【００７１】
（２−３）  無線品質測定
推定されたｅＮＢ１００の位置情報に基づいて、ｅＮＢ１００の周辺のＵＥ４００又は周辺セル６００に対する干渉に応じた無線品質の推定動作について説明する。無線品質推定部１１８は、ｅＮＢ１００の周辺に所定のエリアを規定し、ＭＲデータベース１１６に格納されるＭＲ信号情報に基づいて、エリア毎のｅＮＢ１００又は周辺セル６００からの送信電波の無線品質又は干渉度のマッピングを行う。
【００７２】
無線品質推定部１１８が規定するエリアの例について、図１２に例を示す。図１２は、ｅＮＢ１００の周囲のエリアを、緯度及び経度に基づいて概ね等面積のメッシュ状のエリアに区切り、各エリアについてｅＮＢ１００を基準とする絶対位置を規定したものである。図１２に示される例では、ｅＮＢ１００を中心として東西方向に４つ（ａ、ｂ、ｃ、ｄ）、南北方向に４つ（１、２、３、４）の計１６エリアに区切られる。各エリアは、緯度及び経度によって区切られており、例えば、ａ１エリアは、東経ａａ度ｂｂ分０．００１秒からａａ度ｂｂ分０．００２秒、北緯ｘｘ度ｙｙ分０．００１秒からｘｘ度ｙｙ分０．００２秒のように規定される。
【００７３】
ｅＮＢ１００の無線品質推定部１１８は、位置推定部１１７によるｅＮＢ１００の位置の推定動作後に、該位置の推定動作において用いられたＭＲ信号情報のＧＰＳ情報と、受信時刻、ＣＳＧ属性及びｅＮＢ１００の他の周辺セル６００も含めたＥｃ／Ｂｏ値等の干渉度を読み込む。そして、読み込んだＭＲ信号情報のＧＰＳ情報から、該ＭＲ信号情報が上述のどのエリアにおいて取得されたかを判断し、エリア毎に受信時間、ＣＳＧ属性及び干渉度（Ｅｃ／Ｎｏ値）を記録し、メモリに格納する。図１３に格納されるデータの態様の例を示す。図１３に示されるように、無線品質推定部１１８は、例えばメモリ１０５内部に干渉度データベース１１８ａを形成する。干渉度データベース１１８ａは、エリア毎にＭＲ信号の受信時刻、送信元のＵＥ４００のＩＭＳＩ及びＣＳＧ属性を含む基本情報、並びにＵＥ４００から送信されるｅＮＢ１００及び周辺セル６００についてのセル識別ＩＤと、Ｅｃ／Ｎｏ値を格納する。
【００７４】
このようにエリア毎に干渉度を記録することで、ｅＮＢ１００を中心とする周辺エリアにおける干渉度のマッピングが作成可能となる。このような干渉度のマッピングを参照することで、ｅＮＢ１００のセル内で電波送信に係る異常が生じているか否かを確認することが出来る
尚、無線品質推定部１１８は、ｅＮＢ１００を基準として他の態様でエリアを規定してもよい。例えば、図１４は、ｅＮＢ１００を中心として、同心円状にエリアを規定する場合について例示する図である。図１４では、例えば、ｅＮＢ１００から半径０．５ｍの円を等角で８分割して、左回りに夫々をｅ１、ｅ２、ｅ３、ｅ４、ｅ５、ｅ６、ｅ７、ｅ８と規定している。また、ｅＮＢ１００の半径０．５ｍから半径１．０までの環を等角で８分割して、夫々をｆ１、ｆ２、ｆ３、ｆ４、ｆ５、ｆ６、ｆ７、ｆ８と規定し、ｅＮＢ１００の半径１．０ｍから半径１．５までの環を等角で８分割して、夫々をｇ１、ｇ２、ｇ３、ｇ４、ｇ５、ｇ６、ｇ７、ｇ８と規定している。このようにエリアを規定することで、ｅＮＢ１００からの直線距離に応じた干渉度のマッピングが可能となり、好適なセルの管理が可能となる。
【００７５】
尚、その他、好適にｅＮＢ１００の周辺における、ｅＮＢ１００及び他の周辺セル６００からの干渉度をマッピング可能な態様であれば、どのようにエリアを規定してもよいものである。
【００７６】
（２−４）  通知動作例
ｅＮＢ１００の結果判定通知部１１９は、上述したように推定されるｅＮＢ１００の位置情報及び周辺エリアにおける干渉度のマッピングを監視し、何らかの変化が生じた場合に移動体通信キャリア３００のＯＡＭ部３１４又はｅＮＢ１００の管理者に通知する。具体的な判定及び通知動作の流れについて、図１５にフローチャートの一例を示す。
【００７７】
ｅＮＢ１００の結果判定通知部１１９は、位置推定部１１７により推定されるｅＮＢ１００の位置情報を周期的に参照し、時系列的に比較して、位置の変化つまり移動が生じているか否かを判定する。結果判定通知部１１９は、例えば、位置情報の緯度、経度及び高度の少なくとも一つに、時系列的に位置が変化する等、移動であると判断される位置の変化が生じているか否かを判定する（ステップＳ１０１）。
【００７８】
ｅＮＢ１００に位置の変化が確認される場合（ステップＳ１０１：Ｙｅｓ）、結果判定通知部１１９は、移動体通信キャリア３００のＯＡＭ部３１４に、位置の変化を通知する（ステップＳ１０７）。
【００７９】
また、ｅＮＢ１００に位置の変化が確認される場合（ステップＳ１０１：Ｙｅｓ）、結果判定通知部１１９は、無線品質推定部１１８により取得されたｅＮＢ１００周辺の干渉度のマッピングを参照して、該周辺エリアに在圏するＵＥ４００に対する干渉度（Ｅｃ／Ｎｏ値）が変化しているか否かを判定する。このときの判定は、ｅＮＢ１００からの干渉度及び周辺セル６００の干渉度について、個々のＵＥ４００のＣＳＧ属性毎に判定する。具体的には、先ず、結果判定通知部１１９は、ＣＳＧ属性がｅＮＢ１００と通信可能であるＵＥ４００について、ｅＮＢ１００からのＥｃ／Ｎｏ値等の干渉度が悪化しているか否かを判定する（ステップＳ１０２）。続いて、結果判定通知部１１９は、ＣＳＧ属性がｅＮＢ１００と通信不可であるＵＥ４００について、ｅＮＢ１００からのＥｃ／Ｎｏ値等の干渉度が悪化しているか否かを判定する（ステップＳ１０３）。続いて、結果判定通知部１１９は、ＣＳＧ属性がｅＮＢ１００と通信可能であるＵＥ４００について、周辺セル６００からのＥｃ／Ｎｏ値等の干渉度が悪化しているか否かを判定する（ステップＳ１０４）。続いて、結果判定通知部１１９は、ＣＳＧ属性がｅＮＢ１００と通信不可であるＵＥ４００について、周辺セル６００からのＥｃ／Ｎｏ値等の干渉度が悪化しているか否かを判定する（ステップＳ１０５）。
【００８０】
結果判定通知部１１９は、いずれかの判定において、干渉度の悪化が見られないと判定した場合、所定の周期の経過後、再度同様の判定を行う（ステップＳ１０８）。
【００８１】
結果判定通知部１１９は、いずれの判定においても干渉度が悪化していると判定した場合、ｅＮＢ１００の位置変化によって周辺セル６００との電波の干渉が悪化し、無線品質の劣化が生じていると判断し、その旨をｅＮＢ１００の管理者に通知する（ステップＳ１０６）。
【００８２】
このとき、例えば結果判定通知部１１９は、ｅＮＢ１００の管理者が所持するＵＥ４００の表示画面４０６に対して、判定結果及び、ＭＲデータベース１１６に格納される情報から生成した干渉を低減するためのｅＮＢ１００の移設方法等を表示することで通知する。図１６は、ＵＥ４００の表示画面４０６に通知を表示した場合の例を図示したものである。図１６の例では、判定結果を通知するために「フェムトセル設置位置のご確認」と題して「お客様が設置されたフェムトセルの位置が変更になった可能性がございます。つきましては、設置位置をご確認頂き、位置が変更されていた場合は元の位置に戻して頂きますようよろしくお願いいたします。移設後、下記の再確認ボタンを押して下さい。移設方向：現状より南西に５ｍ程度」とのメッセージを表示している。ｅＮＢ１００は、入力機器４０７を介して管理者による「再確認」の指示の入力を受けた場合、再度ＭＲ信号情報の収集を行い、ｅＮＢ１００についての位置の変化と干渉度についての判定を実施してもよい。
【００８３】
本発明は、上述した実施例に限られるものではなく、請求の範囲及び明細書全体から読み取れる発明の要旨或いは思想に反しない範囲で適宜変更可能であり、そのような変更を伴う移動通信システム、通信制御装置、通信制御方法及び無線基地局等もまた本発明の技術的範囲に含まれるものである。
【００８４】
以上、本明細書で説明した実施形態について、以下の付記を更に記載する。
（付記１）
無線端末と通信可能な無線基地局であって、
前記無線端末より送信される前記無線端末の位置情報及び前記無線端末が受信する当該無線基地局からの受信電力を含む信号を受信する受信部と、
前記位置情報及び前記受信電力に基づいて、当該無線基地局の位置を推定する位置推定部と
を備えることを特徴とする無線基地局。
（付記２）
前記受信部は、相異なる少なくとも３つの前記無線端末より送信される、前記信号を夫々受信し、
前記位置推定部は、前記相異なる少なくとも３つの無線端末より取得された前記位置情報及び前記受信電力に基づいて、当該無線基地局の位置を推定することを特徴とする付記１に記載の無線基地局。
（付記３）
前記位置推定部により推定される当該無線基地局の位置の変化を検出する位置判定部を更に備え、
前記受信部は、前記信号を異なる時間において複数回受信し、
前記位置判定部は、前記信号の夫々に含まれる前記位置情報及び前記受信電力に基づく前記位置推定部による推定結果を時系列的に比較することで、当該無線基地局の位置の変化を検出することを特徴とする付記１又は２に記載の無線基地局。
（付記４）
前記信号に基づいて所定の地点における無線品質を推定する無線品質推定部を更に備え、
前記受信部は、前記無線端末における当該無線基地局及び当該無線基地局周辺に設置される無線基地局のうちの少なくとも１つを選択し、該選択された無線基地局についての干渉度の情報を含む前記信号を受信し、
前記無線品質推定部は、前記信号に含まれる前記位置情報及び前記干渉度の情報に基づいて、前記位置情報により示される地点における前記選択された無線基地局についての無線品質を推定することを特徴とする付記１から３のいずれか一項に記載の無線基地局。
（付記５）
前記無線品質推定部により推定される前記選択された無線基地局についての無線品質の時系列的な変化を検出する無線品質判定部を更に備え、
前記受信部は、前記干渉度の情報を含む信号を異なる時間において複数回受信し、
前記無線品質推定部は、前記信号の夫々に含まれる前記位置情報及び前記干渉度の情報に基づく前記無線品質推定部による推定結果を時系列的に比較することで、前記選択された無線基地局についての無線品質の時系列的な変化を検出することを特徴とする付記４に記載の無線基地局。
（付記６）
前記無線品質推定部は、当該無線基地局を基準とする所定の範囲を複数のエリアに区切り、前記複数のエリアの各エリア毎に、前記選択された無線基地局についての無線品質を推定することを特徴とする付記４又は５に記載の無線基地局。
（付記７）
前記無線端末に対して、契約情報に基づいて、当該無線基地局との通信が可能であるか否かを判断する通信可否判定部を更に備え、
前記無線品質判定部は、前記通信可否判定部によって当該無線基地局との通信が可能であると判断された前記無線端末より送信される前記信号に基づいて推定される前記無線品質に変化が検出される場合、当該無線基地局との通信が可能でないと判断された前記無線端末より送信される前記信号に基づく前記無線品質推定部による推定結果を時系列的に比較することで、変化を検出することを特徴とする付記５に記載の無線基地局。
（付記８）
予め設定される所定の設置位置から当該無線基地局の位置が変化している場合、及び予め設定される所定の無線品質から当該無線基地局についての前記無線品質が変化している場合の少なくとも一方において、該変化について、当該無線基地局の管理者に対して通知する通知部を更に備えることを特徴とする付記４から７のいずれか一項に記載の無線基地局。
（付記９）
前記通知部は、推定された当該無線基地局の位置及び前記無線品質に基づいて、前記変化を補償するために当該無線基地局を移動させる場所を更に通知することを特徴とする付記８に記載の無線基地局。
（付記１０）
無線端末と通信可能な無線基地局における位置検出方法であって、
前記無線端末より送信される、前記無線端末の位置情報及び前記無線端末が受信する当該無線基地局からの受信電力を含む信号を受信する受信工程と、
前記位置情報及び前記受信電力に基づいて、当該無線基地局の位置を推定する位置推定工程と
を備えることを特徴とする位置検出方法。
【符号の説明】
【００８５】
１０１  ＲＦ、
１０２  ＳｏＣチップ、
１０３  ＤＳＰ、
１０４  ＣＰＵ、
１０５  メモリ、
１０６  ＮＩＣ、
１１１  ＬＡＮインタフェース、
１１２  無線制御部（ｅＮＢ）、
１１３  無線送受信部（ｅＮＢ）、
１１４  ＣＳＧ制御部、
１１５  ＭＲ信号受信部、
１１６  ＭＲデータベース、
１１７  位置推定部、
１１８  無線品質推定部、
１１９  結果判定通知部、
２００  ブロードバンドルータ、
３００  移動体通信キャリア、
４００  ＵＥ、
５００  インターネット網、
６００  周辺セル。
【図１】
0005648434.tif 000002
【図２】
0005648434.tif 000003
【図３】
0005648434.tif 000004
【図４】
0005648434.tif 000005
【図５】
0005648434.tif 000006
【図６】
0005648434.tif 000007
【図７】
0005648434.tif 000008
【図８】
0005648434.tif 000009
【図９】
0005648434.tif 000010
【図１０】
0005648434.tif 000011
【図１１】
0005648434.tif 000012
【図１２】
0005648434.tif 000013
【図１３】
0005648434.tif 000014
【図１４】
0005648434.tif 000015
【図１５】
0005648434.tif 000016
【図１６】
0005648434.tif 000017